(57)【要約】【課題】  個々の利用者の状態を考慮した効果的な広告技術の提供。【解決手段】  広告データを格納する受信広告データベース１０１と、現在時間を取得する時間取得部１０７と、利用者の嗜好を取得する嗜好取得部１０８と、広告受信機の現在位置を取得する位置取得部１０９と、受信時期並びに利用者の受信位置及び嗜好それぞれについての選択基準を設定しておき、受信した広告データのうち、各選択基準を満たす広告データを選択して、受信広告データベースに格納する広告格納処理部１０６と、受信広告データベースに格納されている広告データを、再生時期並びに前記利用者の再生位置及び嗜好に基づいて、時期、位置及び嗜好について評価し、評価の高い順に抽出する広告抽出部１１０と、抽出した広告データを利用者に提示する広告提示部１１１とを有する。【選択図】 図１
2004240986.tif 000002
【特許請求の範囲】
【請求項１】
通信を利用して送信された広告データを、利用者に提示するにあたり、
受信時期、利用者の受信位置、並びに利用者の興味があるキーワード及び興味のないキーワードからなる嗜好それぞれについての選択基準を設定しておき、前記嗜好については、少なくとも、前記広告データに前記興味のないキーワードが含まれないことを選択基準とし、受信した広告データのうち、各前記選択基準を満たす広告データを選択して、受信広告データベースに格納し、
前記受信広告データベースに格納されている広告データを、再生時期並びに前記利用者の再生位置及び嗜好に基づいて、時期、位置及び嗜好について評価し、評価の高い順に抽出して、前記利用者に提示することを特徴とする広告方法であって、
前記広告データの送信にあたり、広告主単位で広告データを順番に記述したものを繰り返した広告送信列を生成し、当該広告送信列を送信することを特徴とする広告方法。
【発明の詳細な説明】
【技術分野】
【０００１】
本発明は、放送を利用して電子的な広告を利用者に提示する技術に関し、特に、時期や利用者の位置及び嗜好を考慮して、特定の利用者に特定の広告を選択的に提示することができる広告方法、広告装置、それを構成する広告受信装置、そのプログラムを記録した記録媒体に関する。
【背景技術】
【０００２】
従来、放送を利用した広告においては、地上波テレビ放送や地上波ラジオ放送に見られるように、放送局は全ての視聴者に同一広告を放送しており、一方、視聴者側は、受信した広告をそのまま視聴するだけであった。
【０００３】
このため、放送局の放送電波の到達する範囲が限られるので、広告はある程度地域性を持っているものの、放送は広域的なものであり、視聴者の位置に応じて局所的な広告を提示することはできなかった。      
そこで、特許文献１においては、広告を、そのまま利用者に提示され車両側で蓄積しない広告の音声放送と、音声放送に対応し蓄積するデータ放送から広告音声放送とデータ放送とにより構成して送信し、その広告を車両に設置した装置で受信させ、車両位置付近に関連する広告の詳細を利用者に提示することが提案されている。
【０００４】
【特許文献１】特表平１０−５０５４４１号公報
【発明の開示】
【発明が解決しようとする課題】
【０００５】
しかしながら、特表平１０−５０５４４１号公報に記載の技術においては、基本的に広告の音声放送を聞いてから、詳細をデータ放送で受信して提示することとなっている。このため、利用者に完全な広告をいつでも再現することが困難であり、それに伴い、装置を利用していない間にも放送されている広告の受信確率を向上させることが困難であった。
【０００６】
その上、従来の広告放送においては、広告を放送する期間、時期によって広告の有効な期間が示されるが、広告に関連した位置を、利用者のいる位置と関連付けることができていないので、店舗の営業時間内や、キャンペーンの時期内にのみ広告を放送しても、利用者がその時期に広告の製品やサービスを購入することは困難な場合があり、その場合、別の機会に購入するかそのまま忘れてしまうことになり、スポンサー企業にとっては販売機会を逸してしまうことになる。
【０００７】
また、従来は、広告を広告対象とする利用者が多く見ていると推定される番組に挿入することで、利用者の嗜好に合わせた広告を提示しているといえるが、あくまで利用者集団の嗜好であり、利用者個人の嗜好を考慮したものではなかった。
【０００８】
本発明は、上記の問題を解決すべくなされたものであり、個々の利用者の状態を考慮した効果的な広告方法、広告装置、広告受信機及び記録媒体の提供を目的とする。
【課題を解決するための手段】
【０００９】
この目的の達成を図るため、本発明の請求項１に係る広告方法によれば、放送を利用して送信された広告データを、利用者に提示するにあたり、受信時期、利用者の受信位置、並びに利用者の興味があるキーワード及び興味のないキーワードからなる嗜好それぞれについての選択基準を設定しておき、嗜好については、少なくとも、広告データに興味のないキーワードが含まれないことを選択基準とし、受信した広告データのうち、各選択基準を満たす広告データを選択して、受信広告データベースに格納し、受信広告データベースに格納されている広告データを、再生時期並びに利用者の再生位置及び嗜好に基づいて、時期、位置及び嗜好について評価し、評価の高い順に抽出して、利用者に提示する方法としてある。
【００１０】
このように、本発明の広告方法によれば、時期、位置及び嗜好について基準を満たす広告データのみを選択して格納し、その上、いったん格納した広告データを、時期、位置及び嗜好について総合的に評価し、評価の高い順に抽出するので、個々の利用者の状態を考慮した効果的な広告を実現することができる。
【００１１】
さらに、本発明では、広告データはデータ放送のみからなり、動画や音声もデータにして車両側に蓄積されるので、利用者に完全な広告をいつでも再現することが可能である。
【００１２】
したがって、広告主であるスポンサー企業にとっては広告商品等の販売機会の増加が期待できる。
【００１３】
また、広告データの選択において、利用者の嗜好についての選択基準を満たす広告データを選択すれば、利用者の集団を対象にするよりも利用者の一人一人にとってより興味のある広告を提示することが可能になる。その結果、スポンサー企業にとっては販売機会の増加が期待できる。
【００１４】
また、第２の発明によれば、広告データが、広告の期間を示すデータを含む場合において、受信時期が期間内であることを、時期についての選択基準とする方法としてある。
【００１５】
このように、時期についての選択基準を満たす広告データを選択すれば、利用者が広告の製品やサービスをその場、その時期に購入する可能性を増大させることができる。その結果、スポンサー企業にとっては販売機会の増加が期待できる。
【００１６】
また、第３の発明によれば、広告データが、広告対象の所在地等の存在位置を示すデータを含む場合において、受信位置が存在位置から一定距離の範囲内であることを、位置についての選択基準とする方法としてある。
【００１７】
このように、位置についての選択基準を満たす広告データを選択すれば、利用者が広告の製品やサービスをその場で購入する可能性を増大させることができる。特に、利用者の付近の店舗の広告を利用者に提示することで、利用者が広告の製品やサービスをその場で購入する可能性を増大させることが可能になる。その結果、スポンサー企業にとっては販売機会の増加が期待できる。
【００１８】
また、第４の発明によれば、広告データが、広告の期間を示すデータを含む場合において、広告データを時期について評価するにあたり、受信時期が期間内であるときに評価を高くし、期間外であるときに評価を低くする方法としてある。
【００１９】
時期についてこのように評価すれば、よりタイムリーな広告を優先的に提示することにより、利用者が広告の製品やサービスをその時期に購入する可能性を増大させることができるとともに、受信後、広告の期間が過ぎた広告が提示されることを回避することができる。
【００２０】
また、第５の発明によれば、広告データが、広告対象の所在地等の存在位置を示すデータを含む場合において、広告データを位置について評価するにあたり、受信位置と存在位置との距離が短いほど評価を高くし、距離が長いほど評価を低くする方法としてある。
【００２１】
位置についてこのように評価すれば、利用者に近い広告を優先的に提示することにより、広告の製品やサービスをその場で購入する可能性を増大させることができるとともに、受信後、例えば、利用者の移動により、利用者から遠くなった店舗の広告が提示されることを回避することができる。
【００２２】
また、第６の発明によれば、利用者の興味があるキーワード及び興味のないキーワードを登録しておき、広告データを嗜好について評価するにあたり、広告データが、前記興味のあるキーワードを多く含むほど評価を高くし、興味のないキーワードを多く含むほど評価を低くする方法としてある。
【００２３】
利用者の嗜好についてこのように評価すれば、利用者の一人一人にとってより興味のある広告を優先的に提示することが可能になるともに、興味の低い広告が提示されることを回避することができる。
【００２４】
また、第７の発明によれば、広告データの送信にあたり、広告主単位で広告データを順番に記述したものを繰り返した広告送信列を生成し、当該広告送信列を送信する方法としてある。
【００２５】
これにより、広告受信機が電源を切っている場合など受信できない時期があっても、広告データを受信する確率を向上させることができる。
【００２６】
また、第８の広告装置によれば、放送を利用して広告データを送信する広告送信機と、広告データを受信して利用者に提示する広告受信機とより構成される広告装置であって、  広告送信機は、広告データを格納するための送信広告データベースと、送信広告データベースから広告データを取り出す広告取得部と、広告取得部の取得した広告データを、広告送信列として広告受信機に送信する広告送信部とを有し、広告受信機は、広告送信列を受信する広告受信部と、広告データを格納するための受信広告データベースと、現在時期を取得する時期取得部と、利用者の嗜好を取得する嗜好取得部と、当該広告受信機の現在位置を取得する位置取得部と、受信時期、利用者の受信位置、並びに利用者の興味があるキーワード及び興味のないキーワードからなる嗜好それぞれについての選択基準を設定しておき、嗜好については、少なくとも、広告データに興味のないキーワードが含まれないことを選択基準とし、受信した広告データのうち、各選択基準を満たす広告データを選択して、受信広告データベースに格納する広告格納処理部と、受信広告データベースに格納されている広告データを、再生時期並びに利用者の再生位置及び嗜好に基づいて、時期、位置及び嗜好について評価し、評価の高い順に抽出する広告抽出部と、広告抽出部が抽出した広告データを利用者に提示する広告提示部とを有する構成としてある。
【００２７】
このように、本発明の広告装置によれば、広告格納処理部により、時期、位置及び嗜好について基準を満たす広告データのみを選択して格納し、その上、いったん格納した広告データを、広告抽出部により、時期、位置及び嗜好について総合的に評価し、評価の高い順に抽出するので、個々の利用者の状態を考慮した効果的な広告を実現することができる。
【００２８】
なお、広告データを受信広告データベースに格納する際に、広告データを選択するので、大量の広告データが送信されてきた場合においても、有限容量の受信広告データベースがオーバーフローすることを回避することができる。
【００２９】
さらに、本発明では、広告データはデータ放送のみからなり、動画や音声もデータにして車両側に蓄積されるので、利用者に完全な広告をいつでも再現することが可能である。  したがって、本発明の広告装置を用いることにより、広告主であるスポンサー企業にとっては広告商品等の販売機会の増加が期待できる。
【００３０】
また、第９の発明によれば、広告データが当該広告データに含まれる広告の期間を示すデータを含む場合において、現在時期が期間外となった広告データを受信広告データベースから削除するとともに、広告データが当該広告データに含まれる広告の提示回数を示すデータを含む場合において、提示回数だけ提示された広告を含む広告データを受信広告データベースから削除する広告削除処理部を備える構成としてある。
【００３１】
このように、広告削除処理部を設ければ、不要となった広告データを、受信広告データベースから容易に削除することができる。
【００３２】
また、本発明の第１０の広告受信機によれば、放送を利用して送信された広告データを受信して利用者に提示する広告受信機であって、広告送信列を受信する広告受信部と、広告データを格納するための受信広告データベースと、現在時期を取得する時期取得部と、利用者の嗜好を取得する嗜好取得部と、当該広告受信機の現在位置を取得する位置取得部と、受信時期、利用者の受信位置、並びに利用者の興味があるキーワード及び興味のないキーワードからなる嗜好それぞれについての選択基準を設定しておき、嗜好については、少なくとも、広告データに興味のないキーワードが含まれないことを選択基準とし、受信した広告データのうち、各選択基準を満たす広告データを選択して、受信広告データベースに格納する広告格納処理部と、受信広告データベースに格納されている広告データを、再生時期並びに利用者の再生位置及び嗜好に基づいて、時期、位置及び嗜好について評価し、評価の高い順に抽出する広告抽出部と、広告抽出部が抽出した広告データを利用者に提示する広告提示部とを有する構成としてある。
【００３３】
このように、本発明の広告受信機によれば、広告格納処理部により、時期、位置及び嗜好について基準を満たす広告データのみを選択して格納し、その上、いったん格納した広告データを、広告抽出部により、時期、位置及び嗜好について総合的に評価し、評価の高い順に抽出するので、個々の利用者の状態を考慮した効果的な広告を実現することができる。
【００３４】
また、第１１の発明によれば、放送を利用して送信された広告データを、利用者に提示するにあたり、受信時期、利用者の受信位置、並びに利用者の興味があるキーワード及び興味のないキーワードからなる嗜好それぞれについての選択基準を設定しておき、嗜好については、少なくとも、広告データに興味のないキーワードが含まれないことを選択基準とし、受信した広告データのうち、各選択基準を満たす広告データを選択して、受信広告データベースに格納する処理と、受信広告データベースに格納されている広告データを、再生時期並びに利用者の再生位置及び嗜好に基づいて、時期、位置及び嗜好について評価し、評価の高い順に抽出する処理と、抽出された広告データを前記利用者に提示する処理とをコンピュータに実行させるプログラムを記録してある。
【００３５】
本発明の記録媒体に記録されたプログラムをコンピュータに読み込ませて実行させることにより、個々の利用者の状態を考慮した効果的な広告を実現することができる。
【発明の効果】
【００３６】
このように、本発明によれば、時期、位置及び嗜好について基準を満たす広告データのみを選択して格納し、その上、いったん格納した広告データを、時期、位置及び嗜好について総合的に評価し、評価の高い順に抽出するので、個々の利用者の状態を考慮した効果的な広告を実現することができる。
【００３７】
そして、本発明により、利用者の付近の店舗の広告を利用者に提示することで、利用者が広告の製品やサービスをその場で購入する可能性を増大させることが可能になる。その結果、スポンサー企業にとっては販売機会の増加が期待できる。
【００３８】
また、利用者の位置及び時期に関連した広告を提示することで、利用者が広告の製品やサービスをその場、その時期に購入する可能性を増大させることができる。その結果、スポンサー企業にとっては販売機会の増加が期待できる。
【００３９】
また、利用者個人の嗜好を考慮することで、利用者の集団を対象にするよりも利用者の一人一人にとってより興味のある広告を提示することが可能になる。その結果、スポンサー企業にとっては販売機会の増加が期待できる。
【００４０】
さらに、本発明では、広告データはデータ放送のみからなり、動画や音声もデータにして車両側に蓄積されるので、利用者に完全な広告をいつでも再現することが可能である。
【発明を実施するための最良の形態】
【００４１】
以下、本発明の実施の形態について、図面を参照して説明する。
【００４２】
なお、以下の各実施形態における広告の受信から提示までの処理は、プログラムに制御されたコンピュータにより実行される。このプログラムは、例えば、記録媒体により提供される。記録媒体としては、例えば、磁気ディスク、半導体メモリ、その他の任意の、コンピュータで読み取り可能なものを使用することができる。また、記録媒体に記録されたプログラムは、通信回線を介してもコンピュータに読込ませることもできる。
（広告装置の構成例）
まず、図１を参照して、本発明の広告受信機を含む、広告装置について説明する。
【００４３】
図１に示すように、本発明の広告装置は、放送を利用して広告データを送信する広告送信機１５０と、広告データを受信して利用者に提示する広告受信機１００とにより構成されている。
（広告送信機）
先ず、広告送信機１５０の構成について説明する。
【００４４】
広告送信機１５０は、電子的な広告を送信する装置であり、例えば、放送局の送信機が考えられるが、これに限定しない。そして、広告送信機１５０は、送信広告データベース１５１と、広告取得部１５５と広告送信部１５６とを備えている。
【００４５】
送信広告データベース１５１としては、例えば、関係データベースやファイルシステムが考えられるが、これに限定されない。そして、送信広告データベース１５１には、送信されるべき電子的な広告である広告データが格納されている。図１では、便宜的に三つの広告データ１５２、１５３及び１５４を格納した様子を示しているが、実際に格納される広告データ数はこれに限定されない。
【００４６】
なお、広告データの内部構造については、後述する。
【００４７】
そして、送信広告データベース１５１中の広告データは、広告取得部１５５により取り出され、そして、広告取得部１５５の取得した広告データは、広告送信部１５６により、広告送信列１８０として広告受信機１００へ送信される。
【００４８】
送信にあたっては、衛星デジタルテレビ放送、衛星デジタルラジオ放送、地上波デジタルテレビ放送、地上波デジタルラジオ放送又はＣＡＴＶ（ケーブル・テレビジョン）を利用することが考えられるが、これに限定されない。
【００４９】
なお、広告データはデータ放送のみからなり、動画や音声もデータにして車両等に搭載された広告受信機１００側に蓄積されるので、利用者に完全な広告をいつでも再現することが可能である。
【００５０】
また、本実施形態では、図２に示すように、広告送信列１８０として、広告主単位（スポンサー広告単位）６０３、６０４及び６０５で広告データを順番に記述したものを繰り返した送信列を生成する。すなわち、図２に示した例では、各広告６００、６０１及び６０２には、それぞれスポンサー１広告６０３、スポンサー２広告６０４及びスポンサーｎ広告６０５が同様に含まれている。
【００５１】
このように、同じ内容の広告を繰り返し送信することにより、広告受信機１００が電源を切っている場合など広告が受信できない時期があっても、広告データを受信する確率を向上させることができる。
（広告データ）
次に、広告受信機１００の説明に先立ち、図３を参照して、広告送信列を構成する広告データの構成について説明する。
【００５２】
図３に示すように、本実施形態における広告データは、ヘッダ部２００と、グローバル広告部２０１と、ローカル広告集合部２０２とから構成されている。このヘッダ部２００は、広告の基本的な属性を記述する部分である。また、グローバル広告部２０１は、地域によらずに利用者に提示する広告の内容を一つだけ記述する部分である。そして、ローカル広告集合部２０２は、地域に依存し地域毎の利用者に提示する広告の内容を任意個数記述する部分である。
【００５３】
次に、図４を参照して、ヘッダ部２００の構成について説明する。
【００５４】
図４に示すように、本実施形態のヘッダ部２００は、ＩＤ３００と、広告構成タイプ３０１と、グローバルヘッダコンテンツ使用フラグ３０２と、グローバルフッタコンテンツ使用フラグ３０３と、ローカルヘッダコンテンツ使用フラグ３０４と、ローカルフッタコンテンツ使用フラグ３０５と、広告提示契約タイプ３０６と、広告提示期間３０７と、広告提示回数３０８とから構成されている。
【００５５】
ＩＤ３００は、広告データを特定するための固有の値を、例えば、数値や文字列で記述する部分である。また、広告編成タイプ３０１は、利用者に提示する広告の編成タイプを指定する部分である。例えば、広告データが、グローバル広告とローカル広告との組み合わせである場合には、「１」と記載し、一方、グローバル広告のみの場合には、「２」と記載すると良い。
【００５６】
また、グローバルヘッダコンテンツ使用フラグ３０２は、利用者に提示する広告に、後述するグローバルヘッダコンテンツ４０７（図５参照）を使用するかしないかを指定する部分である。例えば、使用する場合には、「Ｔｒｕｅ」と記載し、一方、不使用の場合には、「Ｆａｌｓｅ」と記載すると良い。
【００５７】
また、グローバルフッタコンテンツ使用フラグ３０３は、利用者に提示する広告に、後述するグローバルフッタコンテンツ４０８（図５参照）を使用するかしないかを指定する部分である。例えば、使用する場合には、「Ｔｒｕｅ」と記載し、一方、不使用の場合には、「Ｆａｌｓｅ」と記載すると良い。
【００５８】
また、ローカルヘッダコンテンツ使用フラグ３０４は、利用者に提示する広告に、後述するローカルヘッダコンテンツ５００（図６参照）を使用するかしないかを指定する部分である。例えば、使用する場合には、「Ｔｒｕｅ」と記載し、一方、不使用の場合には、「Ｆａｌｓｅ」と記載すると良い。
【００５９】
また、ローカルフッタコンテンツ使用フラグ３０５は、利用者に提示する広告に、後述するローカルフッタコンテンツ５０１（図６参照）を使用するかしないかを指定する部分である。例えば、使用する場合には、「Ｔｒｕｅ」と記載し、一方、不使用の場合には、「Ｆａｌｓｅ」と記載すると良い。
【００６０】
また、広告提示契約タイプ３０６は、広告の提示契約タイプを指定する部分である。例えば、契約により広告を提示する期間を指定する場合は「１」と記載し、広告を提示する回数を指定する場合は「２」と記載し、広告を提示する期間と提示する回数を指定する場合は「３」を記載する。
【００６１】
また、広告提示期間３０７は、広告提示契約タイプ３０６の値が「１」又は「３」のときに、広告の提示期間を記述する部分である。また、広告提示回数３０８は、前記広告提示契約タイプ３０６の値が「２」又は「３」のときに、広告の提示回数を記述する部分である。
【００６２】
次に、図５を参照して、グローバル広告部２０１の構成について説明する。
【００６３】
図５に示すように、グローバル広告部２０１は、広告名４００と、広告分類４０１と、広告有効期間４０２と、広告テキスト４０３と、企業名４０４と、企業分類４０５と、グローバルコンテンツ４０６と、グローバルヘッダコンテンツ４０７と、グローバルフッタコンテンツ４０８とから構成されている。
【００６４】
広告名４００は、広告の名称を記述する部分である。また、広告分類４０１は、広告の分類を記述する部分であり、例えば、キーワードの集合で広告の分類を記載する。また、広告有効期間４０２は、広告の有効期間を記述する部分である。また、広告テキスト４０３は、広告の内容をテキストで記述する部分である。
【００６５】
また、企業名４０４は、広告のスポンサー企業の名称を記述する部分である。また、企業分類４０５は、広告のスポンサー企業の分類を、例えば、キーワードの集合で記載する部分である。
【００６６】
また、グローバルコンテンツ４０６は、地域によらずに利用者に提示する広告のコンテンツを記述する部分である。コンテンツは、例えば、動画、静止画及び、音声のうちの単独または組み合わせからなる。
【００６７】
また、グローバルヘッダコンテンツ４０７は、グローバルコンテンツの直前に利用者に提示する広告のコンテンツを記述する部分である。このヘッダコンテンツも、例えば、動画、静止画及び音声のうちの単独または組み合わせからなり、例えば、スポンサー企業をイメージ付ける音楽やロゴマークを記述する。
【００６８】
さらに、グローバルフッタコンテンツ４０８は、グローバルコンテンツの直後に利用者に提示する広告のコンテンツを記述する部分である。このフッタコンテンツも、例えば、動画、静止画及び音声のうちの単独または組み合わせからなり、例えば、スポンサー企業をイメージ付ける音楽やロゴマークを記述する。
【００６９】
次に、図６を参照して、ローカル広告集合部２０２の構成について説明する。
【００７０】
図６に示すように、ローカル広告集合部２０２は、ローカルヘッダコンテンツ５００と、ローカルフッタコンテンツ５０１と、一つ又は複数のローカル広告５０２、５０３及び５０４から構成されている。
【００７１】
個々のローカル広告は、地域に依存し地域毎の利用者に提示する広告の内容をそれぞれ有する。例えば、ハンバーガーチェーンの広告であったならば、各ローカル広告には各チェーン店の広告を記述する。
【００７２】
そして、各ローカル広告は、それぞれローカルＩＤ５０５と、ローカル名５０６と、ローカル営業時間５０７と、ローカル位置５０８と、ローカル経路５０９と、ローカルテキスト５１０と、ローカルコンテンツ５１１とから構成されている。
【００７３】
ローカルＩＤ５０５は、ローカル広告を一意に特定するための固有の値を、例えば、数値や文字列で記載する部分である。また、ローカル名５０６は、ローカル広告の、ローカルの名称を記述する部分である。例えば、ハンバーガーチェーンの広告であったならば、ローカルはチェーン店になる。したがって、ローカル名にはチェーン店の名称を記述する。
【００７４】
また、ローカル営業時間５０７は、ローカル広告のローカルの営業時間を記述する部分である。例えば、ハンバーガーチェーンの広告であったならば、ローカル営業時間にはチェーン店の営業時間を記述する。
【００７５】
また、ローカル位置５０８は、ローカル広告の、ローカルの位置を記述する部分である。例えば、ハンバーガーチェーンの広告であったならば、ローカル位置にはチェーン店の位置として、例えば、住所や緯度及び経度を記載する。
【００７６】
また、ローカル経路５０９は、ローカル広告の、ローカル付近のランドマークからローカルまでの経路を任意個数記述する部分であり、ローカル付近のランドマークからローカルまでの経路を任意個数記述する。
【００７７】
ここでランドマークとしては、ローカル付近で目印となる施設などを記述する。そのような施設としては、例えば、駅や高速道路のインターチェンジがランドマークになり得る。また、経路としては、例えば、ランドマークからローカルに向かう道路で、方向選択が必要な交差点の緯度及び経度を、その経路を辿る順番に記述する。そして、経路の記述にあたっては、ランドマークからローカルまでの経路を静止画、テキスト、音声データでも記述すると良い。
【００７８】
また、ローカルテキスト５１０は、ローカル広告の内容をテキストで記述する部分である。例えば、ハンバーガーチェーンの広告であったならば、ローカルテキストにはチェーン店の紹介を記述する。
【００７９】
また、ローカルコンテンツ５１１は、利用者に提示するローカル広告のコンテンツを記載する部分であり、例えば、動画、静止画及び音声のうちの単独または組み合わせで記載される。
【００８０】
また、ローカルヘッダコンテンツ５００は、ローカルコンテンツ５１１の直前に利用者に提示する広告のコンテンツを記述する部分であり、例えば、動画、静止画及び音声のうちの単独または組み合わせからなる。
【００８１】
また、ローカルフッタコンテンツ５０１は、ローカルコンテンツ５１１の直後に利用者に提示する広告のコンテンツを記述する部分であり、例えば、動画、静止画及び音声のうちの単独または組み合わせからなる。
（広告受信機）
次に、広告受信機１００の構成について説明する。
【００８２】
広告受信機１００は、広告送信機１５０から送信された電子的な広告を受信し利用者に提示する装置であり、例えば、携帯型コンピュータ、カーナビゲーションシステムが考えられるが、これに限定しない。
【００８３】
そして、広告受信機１００は、広告受信部１０５と、受信広告データベース１０１と、時期取得部としての時間取得部１０７と、嗜好取得部１０８と、位置取得部１０９と、広告格納処理部１０６と、広告抽出部１１０と、広告提示部１１１と、広告削除処理部１１２とを備えている。
【００８４】
時間取得部１０７は、現在時期を取得するために設けられており、例えば、時計により構成すると良い。ただし、時間取得部１０７は時計に限定されない。
【００８５】
また、嗜好取得部１０８は、利用者の嗜好を取得するために設けられている。嗜好の取得にあたっては、例えば、利用者に興味のあるキーワードと興味のないキーワードをそれぞれ入力してもらい設定すると良い。ただし、嗜好の取得方法は、これに限定しない。
【００８６】
また、位置取得部１０９は、広告受信機１００の現在位置、すなわち利用者の現在位置を取得するために設けられており、例えば、汎地球測位システム（Global  Positioning  System；ＧＰＳ）用の受信機で構成すると良い。ただし、位置の取得方法は、これに限定しない。
【００８７】
そして、広告送信機１５０から送信された広告送信列１８０は、広告受信部１０５で受信される。受信された広告送信列１８０は、広告格納処理部１０６へ転送される。
【００８８】
広告格納処理部１０６は、受信時期並びに利用者の受信位置及び嗜好それぞれについての選択基準を設定しておき、受信した広告データのうち、各選択基準を満たす広告データを選択する。
【００８９】
選択基準としては、例えば、広告データが、広告の期間を示すデータを含む場合は、受信時期が期間内であることを、時期についての選択基準とすると良い。また、広告データが、広告対象の所在地等の存在位置を示すデータを含む場合は、受信位置が存在位置から一定距離の範囲内であることを、位置についての選択基準とすると良い。さらに、利用者の興味があるキーワード及び興味のないキーワードを登録しておき、広告データが、興味のないキーワードを含まないことを嗜好についての選択基準とすると良い。
【００９０】
選択された広告データは、受信広告データベース１０１に格納される。受信広告データベース１０１としては、送信広告データベース１５１と同様に、例えば、関係データベースやファイルシステムが考えられるが、これに限定されない。
【００９１】
なお、図１では、便宜的に三つの広告データ１０２、１０３及び１０４を格納した様子を示しているが、実際に格納される広告データ数はこれに限定されない。
【００９２】
また、広告データを受信広告データベース１０１に格納する際に、広告データを選択するので、大量の広告データが送信されてきた場合においても、有限容量の受信広告データベースがオーバーフローすることを回避することができる。
【００９３】
次に、広告抽出部１１０は、受信広告データベース１０１に格納されている広告データを、再生時期並びに利用者の再生位置及び嗜好に基づいて、時期、位置及び嗜好について評価する。評価の高い順に抽出する。
【００９４】
評価にあたっては、例えば、広告データが、広告の期間を示すデータを含む場合、広告データを時期について評価するにあたり、受信時期が期間内であるときに評価「ｅｔ」を高くし、期間外であるときに評価「ｅｔ」を低くすると良い。
【００９５】
また、広告データが、広告対象の所在地等の存在位置を示すデータを含む場合、広告データを位置について評価するにあたり、受信位置と存在位置との距離が短いほど評価「ｅｐ」を高くし、距離が長いほど評価「ｅｐ」を低くすると良い。
【００９６】
さらに、利用者の興味があるキーワード及び興味のないキーワードを登録しておき、広告データを嗜好について評価するにあたり、広告データが、興味のあるキーワードを多く含むほど評価「ｅｏ」を高くし、興味のないキーワードを多く含むほど評価「ｅｏ」を低くすると良い。
【００９７】
続いて、位置、時期及び嗜好についての評価「ｅｔ」、「ｅｐ」及び「ｅｏ」に基づいて、各広告データを総合的に評価して、総合評価値「ｅ」を求める。総合評価にあたっては、位置、時期及び嗜好についての評価各評価にそれぞれ重み「ｗｔ」、「ｗｐ」及び「ｗｏ」を付ける。そして、総合評価値「ｅ」は、例えば下記の（１）式で与えられる。
ｅ=（ｗｐ・ｅｐ）+（ｗｔ・ｅｔ）+（ｗｏ・ｅｏ）…（１）
そして、広告抽出部１１０は、評価した広告データの中から、評価の高い順に、任意の数の広告データを抽出する。
【００９８】
広告抽出部１１０により抽出された広告データは、広告提示部１１１により利用者に提示される。
【００９９】
さらに、本実施形態の広告受信機１００は、広告削除処理部１１２を備えている。この広告削除処理部１１２は、受信広告データベース１０１に格納されている広告データ１０２、１０３及び１０４の有効期限と、時間取得部１０７から得た時期とをそれぞれ比較して、有効期限の過ぎている広告データを削除する。
【０１００】
なお、バーゲンセール（大売り出し）期間が、例えば２月１日から２月１０までの場合、そのバーゲンセールの広告を打つ期間は、通常、バーゲンセール期間の開始以前から始まり、例えば１月１５日から２月１０日となる。この場合、２／１〜２／１０のバーゲンセール期間が、上述のグローバル広告部２０１の広告有効期間４０２に該当し、一方、１／１５〜２／１０の広告を打つ期間が、上述のヘッダ部２００の広告提示期間３０７に該当する。そして、広告削除処理部１１２は、有効期限として、この広告有効期間４０２及び広告提示期間３０７のどちらを採用しても良い。
【０１０１】
次に、広告データの広告の具体例として、ハンバーガーチェーンの広告の例について説明し、続いて、その具体例の広告データを受信した場合の広告受信機１００の動作、特に、広告格納処理部１０６及び広告抽出部１１０における処理動作例について説明する。
（ヘッダ部の具体例）
先ず、広告データの具体例として、図７を参照して、図３及び図４に示したヘッダ部２００の具体例について説明する。
【０１０２】
図７に示す例では、ＩＤ３０００の欄に、広告データを一意に特定するための固有の値として、「１」と記述されている。
【０１０３】
また、広告編成タイプ３０１０には、グローバル広告とローカル広告の組み合わせの広告の編成タイプを示す値として、上述したように「１」と記述されている。
【０１０４】
また、グローバルヘッダコンテンツ使用フラグ３０２０の欄には、この具体例ではグローバルヘッダコンテンツ４０７を使用するので、上述したように「Ｔｒｕｅ」と記述されている。
【０１０５】
また、グローバルフッタコンテンツ使用フラグ３０３０の欄には、この具体例ではグローバルフッタコンテンツ４０８を使用しないので、上述したように「Ｆａｌｓｅ」と記述されている。
【０１０６】
また、ローカルヘッダコンテンツ使用フラグ３０４０の欄には、この具体例ではローカルヘッダコンテンツ５００を使用しないので、上述したように「Ｆａｌｓｅ」と記述されている。
【０１０７】
また、ローカルフッタコンテンツ使用フラグ３０５０の欄には、この具体例ではローカルフッタコンテンツ５０１を使用するので、上述したように「Ｔｒｕｅ」と記述されている。
【０１０８】
また、広告提示契約タイプ３０６０の欄には、この具体例では契約タイプとして広告の提示期間及び提示回数の両方を指定するので、上述したように「３」と記述されている。  また、広告提示期間３０７０の欄には、この具体例では１９９９年７月１日から１９９９年８月３１日まで広告を提示するので、「１９９９−０７−０１  ｔｏ  １９９９−０８−３１」と記述されている。また、広告提示回数３０８０の欄には、この具体例では、広告を１０回提示するので、「１０」と記述されている。
【０１０９】
（グローバル広告部の具体例）
次に、広告データの具体例として、図８を参照して、図３及び図５に示したグローバル広告部２０１の具体例について説明する。
【０１１０】
図８に示す例では、グローバル広告部２０１の広告名４０００の欄に、広告の名称として、「ＡＢＣバーガー夏のキャンペーン」と記述されている。
【０１１１】
また、広告分類４０１０の欄には、この具体例では、ハンバーガーとスペシャルバーガーに関係する広告であるので、「ハンバーガー」と「スペシャルバーガー」と記述されている。
【０１１２】
また、広告有効期間４０２０の欄には、この具体例では、「ＡＢＣバーガー夏のキャンペーン」の有効期間が１９９９年７月１５日から１９９９年８月３１日までなので、「１９９９−０７−１５  ｔｏ  １９９９−０８−３１」と記述されている。
【０１１３】
また、広告テキスト４０３０の欄には、この具体例では、広告の内容として「ＡＢＣバーガー夏のキャンペーン実施中！スペシャルバーガーが今なら半額！」とテキストで記述されている。
【０１１４】
また、企業名４０４０の欄には、この具体例では、広告のスポンサー企業の名称として
、「ＡＢＣバーガー」と記述されている。
【０１１５】
また、企業分類４０５０の欄には、この具体例では、「ＡＢＣバーガー」がファーストフードのハンバーガーショップであるので、広告のスポンサー企業の分類として、「ファーストフード」と「ハンバーガー」とが記述されている。
【０１１６】
また、グローバルコンテンツ４０６０の欄には、地域によらずに利用者に提示する広告のコンテンツとして、この具体例では、「ＡＢＣバーガー夏のキャンペーン実施中！スペシャルバーガーが今なら半額！」を音声データとして記述している。
【０１１７】
なお、図８では、音声データであることを、便宜的に音符の記号を付して示している。  また、グローバルヘッダコンテンツ４０７０の欄には、この具体例では、広告のコンテンツとして、「ＡＢＣバーガー」という企業名をＢＧＭ（back  ground  music）付きで音声データとして記述している。
【０１１８】
また、グローバルフッタコンテンツ４０８０の欄は、この具体例では、グローバルフッタコンテンツを使用しないので、空欄となっている。
（ローカル集合部の具体例）
次に、広告データの具体例として、図９を参照して、図３に示したローカル広告集合部２０２、及び、それを構成する図６に示したローカル広告５０２０、５０３０及び５０４０のうち、一つのローカル広告の具体例について説明する。
【０１１９】
図９に示す例では、ローカルヘッダコンテンツ５０００の欄は、この具体例ではローカルヘッダコンテンツを使用しないので、空欄となっている。
【０１２０】
また、ローカルフッタコンテンツ５０１０の欄は、この具体例では、ローカルコンテンツの直後に提示するコンテンツとして、「ジャン！」という効果音の音声データが記述されている。
【０１２１】
なお、図９においても、音声データであることを、便宜的に音符の記号を付して示す。    また、図９に示す例では、ローカルＩＤ５０５０の欄に、ローカル広告を一意に特定するための固有の値として、「１」と記述されている。
【０１２２】
また、ローカル名５０６０の欄には、この具体例はハンバーガーチェーンの広告なので、チェーン店である「朝日ヶ丘店」と記述されている。
【０１２３】
また、ローカル営業時間５０７０の欄には、この具体例では、チェーン店の営業時間が毎日１０時から２０時までであるので、「ｅｖｅｒｙｄａｙ  １０：００  ｔｏ  ２０：００」と記述されている。
【０１２４】
また、ローカル位置５０８０の欄には、この具体例では、チェーン店の住所が「神奈川県朝日ヶ丘２−１」で、緯度が「北緯３６度１７分○○秒」、経度が「東経１３４度８５分○○秒」（ただし、○○は任意の数値を表す。）であるので、図９に示すように記述されている。
【０１２５】
また、ローカル経路５０９０の欄には、この具体例では、ハンバーガーチェーン店が、朝日ヶ丘駅東口から直進したところにあるので、付近のランドマークからローカルまでの経路上で方向選択が必要な交差点の緯度や経度を順番に記述するとともに、ランドマークからローカルまでの経路を静止画、テキスト及び音声データでそれぞれ表している。
【０１２６】
すなわち、ローカル経路５０９０の欄には、図９に示すように、経路緯度１として「３６．１７．○○」、経路経度２として「１３４．８５．○○」、経路テキストとして「朝日ヶ丘駅東口を出て直進し…」、経路音声として「朝日ヶ丘駅東口…」がそれぞれ記述されているとともに、後述する図１２に示す経路イメージが記述されている。
【０１２７】
また、ローカルテキスト５１００の欄には、この具体例では、チェーン店の紹介として、「朝日ヶ丘店、朝日ヶ丘駅東口そば」と記述されている。
【０１２８】
また、ローカルコンテンツ５１１０の欄には、この具体例では、ローカル広告のコンテンツとして、「朝日ヶ丘店、朝日ヶ丘駅東口そば」と音声データとして記述されている。
（広告格納処理部の処理動作例）
次に、図１０のフローチャートを参照して、広告格納処理部１０６の処理動作例について説明する。
【０１２９】
図１０に示すように、広告格納処理部１０６は、受信した広告送信列１８０から広告データを取り出し、時間取得部１０７と嗜好取得部１０８と位置取得部１０９からのデータを考慮して基準に一致する広告データを受信広告データベース１０１に格納する広告格納処理を行うにあたり、先ず、広告受信部１０５から広告送信列１８０を取得する（ステップＳ１００）。
【０１３０】
そして、広告送信列１８０中にまだ取り出していない広告データが存在するかチェックする（ステップＳ１０１）。チェックの結果、広告データが存在しない場合（Ｓ１０１において「Ｎｏ」の場合）には処理を終了する。
【０１３１】
一方、チェックの結果、広告データが存在する場合（Ｓ１０１において「Ｙｅｓ」の場合）、広告格納処理部１０６は、広告送信列１８０から広告データを一つ取り出す（ステップＳ１０２）。
【０１３２】
さらに、広告格納処理部１０６は、時間取得部１０７から現在時期（年月日及び時間）を取得し（ステップＳ１０３）、続いて、嗜好取得部１０８から利用者の嗜好を取得し（ステップＳ１０４）、さらに、位置取得部１０９から広告受信機１００の現在位置を取得する（ステップＳ１０５）。
【０１３３】
なお、Ｓ１０３、Ｓ１０４及びＳ１０５の各ステップの処理順序は、この実施形態の順序に限らず、任意に入れ替えることができる。また、同時に処理するようにしても良い。
【０１３４】
次に、広告格納処理部１０６は、取り出した広告データを位置で評価する（ステップＳ１０６）。
【０１３５】
この評価にあたっては、例えば、広告データのヘッダ部２００の広告編成タイプ３０１０の欄の記述を確認する。そして、例えば、広告編成タイプ３０１０の値が「２」で、広告編成がグローバル広告のみであることを示す場合は、位置についての基準を満たすものとして評価を終了する。
【０１３６】
一方、広告編成タイプ３０１０の値が「１」で、グローバル広告とローカル広告との組合せであることを示す場合は、ローカル広告集合部２０２の各ローカル広告のうち、上述のステップＳ１０５で位置取得部１０９から取得した現在位置に最も近いローカル広告を求める。具体的には、広告データローカル集合部２０２のローカル位置５０８に緯度及び経度で示される位置と現在位置との距離が最も短いローカル広告を求めると良い。
【０１３７】
そして、直近のローカル位置５０８０と現在位置との距離が、例えばＸｋｍ（例えば５０ｋｍ）以内にあるならば基準を満たし、そうでないならば基準を満たさないとする。ただし、「Ｘ」は、０以上の任意の値とすることができる。
【０１３８】
次に、広告格納処理部１０６は、位置による評価の終了した広告データを時期で評価する（ステップＳ１０７）。
【０１３９】
例えば、上述のステップＳ１０３で時間取得部１０７から取得した現在時期が、広告データのヘッダ部２００の広告提示期間３０７に示された期間内ならば基準を満たし、期間外ならば満たさないとすると良い。
【０１４０】
また、例えば、現在時期が、広告データのグローバル広告部２０１の広告有効期間４０２の欄に示された期間内ならば基準を満たし、期間外ならば満たさないとしても良い。
【０１４１】
次に、広告格納処理部１０６は、時期による評価の終了した広告データを嗜好で評価する（ステップＳ１０８）。
【０１４２】
例えば、上述のステップＳ１０４で嗜好取得部１０８から取得した嗜好の興味のないキーワードが、広告データのグローバル広告部２０１の広告名４００、広告分類４０１、広告テキスト４０３、企業名４０４、企業分類４０５、位置による評価基準を満たしたローカル広告のローカル名５０６、ローカルテキスト５１０のいずれかに含まれていたならば基準を満たさず、いずれにも含まれていなければ基準を満たすこととすると良い。
【０１４３】
次に、広告格納処理部１０６は、広告データが、上述のステップＳ１０６、Ｓ１０７及びＳ１０８での評価基準を全て満たすかどうかをチェックする（ステップＳ１０９）。チェックの結果、いずれか一つの基準でも満たされなければ、ステップＳ１０１へ戻って、次の広告データの評価を行い、全ての基準が満たれたならば、基準を満たしたその広告データを受信広告データベース１０１に格納する（ステップＳ１１０）。
【０１４４】
以上のようにして、受信した広告データのうち、基準を満たす広告データのみが、受信広告データベース１０１に格納される。
（広告抽出部の処理動作例）
次に、図１１のフローチャートを参照して、広告抽出部１１０の処理動作例について説明する。
【０１４５】
図１１に示すように、広告抽出部１１０は、受信広告データベース１０１に格納されている広告データの中から、時間取得部１０７と嗜好取得部１０８と位置取得部１０９からのデータを考慮して基準に一致する広告データを抽出する広告抽出処理を行うにあたり、先ず、受信広告データベース１０１に中に広告データが存在するかチェックする（ステップＳ２００）。
【０１４６】
チェックの結果、広告データが存在しない場合（Ｓ２００において「Ｎｏ」の場合）は処理を終了する。
【０１４７】
一方、広告データが存在する場合（Ｓ２００において「Ｙｅｓ」の場合）は、時間取得部１０７から現在の日時を再生時期として取得し（ステップＳ２０１）、嗜好取得部１０８から利用者の嗜好を取得し（ステップＳ２０２）、さらに、位置取得部１０９から広告受信機１００の現在位置を取得する（ステップＳ２０３）。
【０１４８】
次に、広告抽出部１１０は、受信広告データベース１０１から広告データを一つ取り出す（ステップＳ２０４）。
【０１４９】
続いて、広告抽出部１１０は、取り出した広告データを位置で評価する（ステップＳ２０５）。
【０１５０】
ここでは、位置による評価値を「ｅｐ」とし、「ｅｐ＿ｍｉｎ」＝０を最低値、「ｅｐ＿ｍａｘ」＝１を最大値とする。すなわち、「ｅｐ＿ｍｉｎ」≦「ｅｐ」≦「ｅｐ＿ｍａｘ」とする。
【０１５１】
例えば、広告データのヘッダ部２００の広告編成タイプ３０１を確認して、広告編成がグローバル広告のみなら評価値「ｅｐ」を「ｅｐ＿ｍａｘ」として評価を終了する。一方、広告編成タイプ３０１が、グローバル広告とローカル広告との組合せならば、上述のステップＳ２０３で取得した現在位置に最も近いローカル広告、すなわち、ローカル位置５０８０と現在位置との距離が最も短いローカル広告を求めると良い。そして、求めたローカル広告のローカル位置５０８０と現在位置の距離が近いほど評価値「ｅｐ」を大きくし、遠いほど評価値「ｅｐ」を小さくすると良い。
【０１５２】
次に、広告抽出部１１０は、取り出した広告データを時期で評価する（ステップＳ２０６）。
【０１５３】
ここでは、時期による評価値を「ｅｔ」とし、「ｅｔ＿ｍｉｎ」＝０を最低値、「ｅｔ＿ｍａｘ」＝１を最大値とする。すなわち、「ｅｔ＿ｍｉｎ」≦「ｅｔ」≦「ｅｔ＿ｍａｘ」とする。
【０１５４】
例えば、上述したステップＳ２０１で取得した現在時期が広告データヘッダ部の広告提示期間３０７０の範囲内であれば、評価値「ｅｔ」を「ｅｔ＿ｍａｘ」とし、範囲外であれば評価値「ｅｔ」を「ｅｔ＿ｍｉｎ」とすると良い。さらに、評価値「ｅｔ」の値が「ｅｔ＿ｍａｘ」であったならば、広告データのローカル営業時間５０７の示す時間帯と現在時期を比較し、現在時期がローカル営業時間５０７の示す時間帯の範囲外であれば評価値「ｅｔ」を小さくすると良い。
【０１５５】
次に、広告抽出部１１０は、取り出した広告データを嗜好で評価する（ステップＳ２０７）。
【０１５６】
ここでは、嗜好による評価値を「ｅｏ」とし、「ｅｏ＿ｍｉｎ」＝０を最低値、「ｅｏ＿ｍａｘ」＝１を最大値とする。すなわち、「ｅｏ＿ｍｉｎ」≦「ｅｏ」≦「ｅｏ＿ｍａｘ」とする。
【０１５７】
例えば、上述したステップＳ２０２で取得した嗜好の興味のないキーワードが、グローバル広告部２０１の広告名４００、広告分類４０１、広告テキスト４０３、企業名４０４、企業分類４０５、位置による評価で決定したローカル広告のローカル名５０６又はローカルテキスト５１０のいずれかに含まれていたら評価値「ｅｏ」を小さくし、一方、嗜好の興味のあるキーワードが、含まれていた場合には評価値「ｅｏ」を大きくする。
【０１５８】
次に、広告抽出部１１０は、位置、時期、嗜好により評価した広告データを総合評価する（ステップＳ２０８）。
【０１５９】
本実施形態では、上述した（１）式と同じ下記の（２）式により、各項目にそれぞれ重み付けをして、広告データの総合評価値「ｅ」を求める。
ｅ=（ｗｐ・ｅｐ）+（ｗｔ・ｅｔ）+（ｗｏ・ｅｏ）…（２）
ここでは、総合評価の一例として、ｅｐ＝０．８、ｅｔ＝１．０、ｅｏ＝０．６、ｗｐ＝１．０、ｗｔ＝０．９、ｗｏ＝０．５を代入して、ｅ＝２．０と算出する。
【０１６０】
次に、広告抽出部１１０は、受信広告データベース１０１中にまだ取り出していない広
告データが存在するか否かをチェックする（ステップＳ２０９）。
【０１６１】
チェックの結果、まだ広告データが存在する場合（Ｓ２０９で「Ｙｅｓ」の場合）は、上述のステップＳ２０４へ戻り、その広告データの評価を行う。
【０１６２】
一方、広告データが存在しない場合（Ｓ２０９で「Ｎｏ」の場合）は、総合評価値「ｅ」の大きい順に広告データをソートする（ステップＳ２１０）。例えば、広告データのヘッダ部２００の広告提示契約タイプ３０６で広告提示回数を保証している場合には、広告提示回数３０８が「１」以上で最大の広告データをソートした広告データの中で最上位に位置付ける。
【０１６３】
次に、総合評価値「ｅ」の上位の広告データを広告提示部１１１に出力する（ステップＳ２１１）。ここでは、上位ｎ個（例えば２個）を広告提示部１１１に出力する。ただし、ｎは０以上の整数であって、広告データ数以下の任意の値を取り得る。
【０１６４】
また、出力した広告データのヘッダ部の広告提示契約タイプ３０６で広告提示回数を保証している場合において、広告提示回数３０８の示す値が「１」以上のときは、広告提示回数３０８から「１」を引く。そして、広告提示回数３０８の値が「０」となった広告データは、広告削除処理部１１２によって、受信広告データベース１０１から削除される。
【０１６５】
次に、広告提示部１１１は、広告抽出部１１０の出力した広告データを利用者に提示する。
【０１６６】
ここで、図１２に、広告提示部１１１による提示例を示す。
【０１６７】
図１２に示す提示例は、上述の図８及び図９に示した広告データを示したものであり、グローバル広告部２０１のグローバルコンテンツ４０６０、グローバルヘッダコンテンツ４０７０及びグローバルフッタコンテンツ４０８０と、ローカル広告集合部２０２のローカルコンテンツ５１１０とが画像及び音声で提示されるとともに、ローカル広告集合部２０２のローカル経路５０９に設定されている経路イメージが提示されている。これらの画像及び文字はモニタ７００により表示され、音声はスピーカ７０１により再生される。
【０１６８】
上述した実施の形態においては、本発明を特定の条件で構成した例について説明したが、本発明は、種々の変更を行うことができる。例えば、上述した実施の形態においては、広告格納処理及び広告抽出処理における時期、位置及び嗜好の判断基準及び評価基準の一例について説明したが、本発明では、時期、位置及び嗜好の判断基準及び評価基準はこれに限定されない。
【図面の簡単な説明】
【０１６９】
【図１】本発明の構成を示す図である。
【図２】広告データの構成を示す図である。
【図３】広告データのヘッダ部の構成を示す図である。
【図４】広告データのグローバル広告部の構成を示す図である。
【図５】広告データのローカル広告集合部の構成を示す図である。
【図６】広告送信列の構成を示す図である。
【図７】広告データのヘッダ部の実施例を示す図である。
【図８】広告データのグローバル広告部の実施例を示す図である。
【図９】広告データのローカル広告集合部の実施例を示す図である。
【図１０】広告格納処理部の動作例を示す図である。
【図１１】広告抽出部の動作例を示す図である。
【図１２】広告提示部の実施例を示す図である。
【符号の説明】
【０１７０】
１００  広告受信機
１０１  受信広告データベース
１０２  広告データ
１０３  広告データ
１０４  広告データ
１０５  広告受信部
１０６  広告格納処理部
１０７  時間取得部
１０８  嗜好取得部
１０９  位置取得部
１１０  告抽出部
１１１  告提示部
１１２  広告削除処理部
１５０  広告送信機
１５１  広告データベース
１５２  広告データ
１５３  広告データ
１５４  広告データ
１５５  広告取得部
１５６  広告送信部
１８０  広告送信列
２００  ヘッダ部
２０１  グローバル広告部
２０２  ローカル広告集合部
３００，３０００  ＩＤ
３０１，３０１０  広告編成タイプ
３０２，３０２０  グローバルヘッダコンテンツ使用フラグ
３０３，３０３０  グローバルフッタコンテンツ使用フラグ
３０４，３０４０  ローカルヘッダコンテンツ使用フラグ
３０５，３０５０  ローカルフッタコンテンツ使用フラグ
３０６，３０６０  広告提示契約タイプ
３０７，３０７０  広告提示期間
３０８，３０８０  広告提示回数
４００，４０００  広告名
４０１，４０１０  広告分類
４０２，４０２０  広告有効期間
４０３，４０３０  広告テキスト
４０４，４０４０  企業名
４０５，４０５０  企業分類
４０６，４０６０  グローバルコンテンツ
４０７，４０７０  グローバルヘッダコンテンツ
４０８，４０８０  グローバルフッタコンテンツ
５００，５０００  ローカルヘッダコンテンツ
５０１，５０１０  ローカルフッタコンテンツ
５０２，５０２０  ローカル広告１
５０３，５０３０  ローカル広告２
５０４，５０４０  ローカル広告ｎ
５０５，５０５０  ローカルＩＤ
５０６，５０６０  ローカル名
５０７，５０７０  ローカル営業時間
５０８，５０８０  ローカル位置
５０９，５０９０  ローカル経路
５１０，５１００  ローカルテキスト
５１１，５１１０  ローカルコンテンツ
６００、６０１、６０２  広告
６０３  スポンサー１広告
６０４  スポンサー２広告
６０５  スポンサーｎ広告
７００  モニタ
７０１  スピーカ
【図１】
2004240986.tif 000003
【図２】
2004240986.tif 000004
【図３】
2004240986.tif 000005
【図４】
2004240986.tif 000006
【図５】
2004240986.tif 000007
【図６】
2004240986.tif 000008
【図７】
2004240986.tif 000009
【図８】
2004240986.tif 000010
【図９】
2004240986.tif 000011
【図１０】
2004240986.tif 000012
【図１１】
2004240986.tif 000013
【図１２】
2004240986.tif 000014